(57)【特許請求の範囲】
【請求項１】
筆記面若しくは掲示面を備えたボード類に、当該ボード類の面に対して突出する位置に可動可能なアーム状の掛け部材を設け、この掛け部材をボード類から突出させることにより、当該掛け部材を介してボード類が支持体に支持可能に設けられたボード類支持構造において、
前記ボード類の外周を囲む枠フレームと当該枠フレーム間に配置されるベース部材を含み、
前記ベース部材の両側に段部を設けて当該段部間に凹部を形成し、この凹部に前記掛け部材を配置して当該掛け部材をベース部材の前記凹部に収まる位置と、ベース部材から突出する位置との間で回転可能に設け、
前記掛け部材は、前記凹部の高さ内に略収まるように設けられていることを特徴とするボード類支持構造。
【請求項２】
前記掛け部材若しくはこれの近傍には、当該掛け部材が突出する際の角度規制部が設けられ、この角度規制部により、掛け部材の突出角度が所定の角度に保たれることを特徴とする請求項１記載のボード類支持構造。
【発明の詳細な説明】
【０００１】
【発明の属する技術分野】
本発明はボード類支持構造に係り、特に、キャビネット等の天板を利用してホワイトボード等を引っ掛けて支持することのできるボード類支持構造に関する。
【０００２】
【従来の技術】
従来より、オフィス等においては、消去、書き換えが容易なことからホワイトボードが多用されている。このホワイトボードは、床面に起立可能なスタンドに固定されたタイプのものの他、支持体を有しない単なる板状体となるタイプのものが存在する。後者のホワイトボードは、例えば、会議、打ち合せの際に、テーブル上に平面的に載せて所要の筆記を行うことができ、また、不使用時には、所定のストッカーに収納しておくことで省スペースを図ることができるという利点がある。
【０００３】
【発明が解決しようとする課題】
しかしながら、ホワイトボードに筆記を行った後に、これを起立姿勢に保持する必要がある場合には、専用のイーゼルをスタンドとして用いなければならないという不都合がある。しかも、イーゼルをホワイトボードの付属品として導入した場合には、ストッカーに保管する際に、イーゼルとホワイトボードとを相互に関連付ける必要があるだけでなく、イーゼルを保管するスペースも余分に必要になるという不都合がある。
【０００４】
【発明の目的】
本発明は、このような不都合に着目して案出されたものであり、その目的は、別体となる専用のスタンドを付属品として用いる必要性がないとともに、起立姿勢若しくは略鉛直姿勢に支持することも容易に行うことのできるボード類支持構造を提供することにある。
【０００５】
【課題を解決するための手段】
前記目的を達成するため、本発明は、筆記面若しくは掲示面を備えたボード類に、当該ボード類の面に対して突出する位置に可動可能なアーム状の掛け部材を設け、この掛け部材をボード類から突出させることにより、当該掛け部材を介してボード類が支持体に支持可能に設けられたボード類支持構造において、
前記ボード類の外周を囲む枠フレームと当該枠フレーム間に配置されるベース部材を含み、
前記ベース部材の両側に段部を設けて当該段部間に凹部を形成し、この凹部に前記掛け部材を配置して当該掛け部材をベース部材の前記凹部に収まる位置と、ベース部材から突出する位置との間で回転可能に設け、
前記掛け部材は、前記凹部の高さ内に略収まるように設けられる、という構成を採っている。このような構成とすれば、掛け部材を突出させた位置に設定した状態で、例えば、キャビネット等の天板上に掛け部材を引っ掛け可能となり、ボード類を吊り下げるような姿勢で支持することができる。
また、掛け部材を天板に引っ掛けたときに、当該天板よりも上方にボード類が大きく突出することがなくなり、ボード類の支持状態を安定的に保つことが可能となる。
更に、掛け部材を使用しないときには、当該掛け部材の存在が邪魔になることはなく、また、ストッカー等に収納する際に、掛け部材の部分だけストック幅が増加したり、出し入れに際して引っ掛かったりすることはない一方、掛け部材を使用するときの移動操作も極めて容易に行うことが可能となる。
また、ボード類が強度的に弱い軽量構造体であっても、枠フレームに一定の強度を確保することにより掛け部材の支持構造を強固に構成することができる。
更に、ベース部材が掛け部材を支持するための構造を備えていればよいため、枠フレームをシンプルな形状として形成することができる。
【００１０】
更に、前記掛け部材若しくはこれの近傍には、当該掛け部材が突出する際の角度規制部が設けられ、この角度規制部により、掛け部材の突出角度が所定の角度に保たれる、という構成も併せ採用するとよい。これにより、掛け部材を前記天板に引っ掛けたときに、当該掛け部材の先端が天板に食いつくような角度設定が可能となり、ボード類が落下する虞も防止することができる。
【００１１】
【実施例】
以下、本発明の実施例を図面を参照しながら説明する。
【００１２】
図１には、本発明に係るボード類支持構造がホワイトボードに適用された使用状態の一実施例が示され、図２（Ａ）及び（Ｂ）には、前記ホワイトボードの正面図及び側面図が示されている。これらの図において、ホワイトボード１０は、表裏各面がそれぞれホーロー仕上げされた略方形板状をなすボード類としての板状のボード本体１１と、このボード本体１１の外周に設けられた枠フレーム１２と、当該枠フレーム１２の各コーナー近傍に設けられた掛け部材１３とを備えて構成されている。
【００１３】
前記枠フレーム１２は、前記ボード本体１１の厚み方向において当該ボード本体１１と略同一の幅に設けられている。この枠フレーム１２は、図２（Ａ）中左右両側に位置する左右一対の縦フレーム１２Ａ，１２Ａと、これら縦フレーム１２Ａ，１２Ａの上端部間及び下端部間に位置する上下一対の横フレーム１２Ｂ，１２Ｂとにより構成されている。縦フレーム１２Ａの上下方向長さは、ボード本体１１の上下方向長さよりも短く設けられている。この縦フレーム１２Ａの上端及び下端と、横フレーム１２Ｂの左右両端との間には、前記掛け部材１３をフレーム１２の各コーナー近傍にそれぞれ支持するベース部材１５が着脱自在に設けられ、これにより、フレーム１２とベース部材１５とによりボード本体１１の外周面が全体的に囲まれるようになっている。なお、特に限定されるものではないが、本実施例における枠フレーム１２及びベース部材１５は、合成樹脂を成形素材として形成されている。
【００１４】
前記ベース部材１５は、前記ボード本体１１の厚み方向に沿う幅がフレーム１２と略同一の幅に設けられている。このベース部材１５は、図３ないし図６に示されるように、縦フレーム１２Ａの延出方向延長線上に位置するベース本体２０と、当該ベース本体２０の図５中下端側に突出して前記縦フレーム１２Ａの上下方向各端面に形成された連結穴２１に嵌合する第１の連結部２２と、ベース本体２０の図５中上部に設けられるとともに、当該ベース本体２０の延出方向と略直交する方向に突出して前記横フレーム１２Ｂの端面に形成された連結穴２３に嵌合する第２の連結部２４とを備えて構成されている。ここで、第１及び第２の連結部２２，２４は、図９（Ｄ）に示されるように、その横断面形状が略Ｘ状となるように形成され、これらの各連結部２２，２４は、前記連結穴２１，２３にそれぞれ強制的に挿入されて嵌合する大きさに設けられている。
【００１５】
前記ベース本体２０は、ボード本体１１の外周面１１Ａ（図５参照）に相対する側が開放した形状に設けられている。このベース本体２０は、図７ないし図９に示されるように、ボード本体１１の厚み方向に沿う一対の側壁２６，２６と、これら側壁２６間に位置する屈曲連結板２７（図９（Ａ）参照）と、この屈曲連結板２７の下に位置する平板状の中間連結板２８とを備えて構成されている。ベース本体２０の図７中右側及び左側は、段部２０Ａ，２０Ｂを介して上面位置を高く形成することで中間に掛け部材１３を受け入れ可能な凹部３０が形成されている。また、ベース本体２０の図７中左側には上下方向に貫通する穴３１が形成され、この穴３１を利用して前記掛け部材１３が回転可能に支持されるようになっている。なお、図７中、段部２０Ａの右上面側と、段部２０Ｂの左上面側から左端面側は縦フレーム１２Ａ及び横フレーム１２Ｂの各外周面１２ａ，１２ｂに連なる閉塞面３３，３４とされている。
【００１６】
前記ベース本体２０において、側壁２６，２６間の屈曲連結板２７は、図９（Ａ），（Ｃ）に示されるように、第１の連結部２２を形成する断面略Ｘ状の略半分に相当する形状をなし、この屈曲連結板２７は、第１の連結部２２の図７中下半分に連なって形成されている。また、屈曲連結板２７と前記中間連結板２８は、図７中、前記穴３１を形成する筒の３７の右端まで延びている。
【００１７】
前記掛け部材１３は、図１０及び図１１に示されるように、前記ベース部材１５の段部２０Ａ，２０Ｂ間に収まるアーム状に形成されている。本実施例における掛け部材１３は、表面にクッション性若しくは滑り防止作用を備えた樹脂材料により形成されている、この掛け部材１３は、図１１（Ａ），（Ｂ）に示されるように、長手方向（左右方向）両端が半円弧状となる湾曲縁３９，３９と、これら湾曲縁３９，３９を繋ぐ直線状の側端縁４０，４０を有する細長い小判形をなす板状部４１と、前記湾曲縁３９，３９に連なる湾曲側面４２，４２と、側端縁４０，４０に連なって直線方向に延びる側面４３，４３とを備え、前記ベース部材１５に取り付けられた際に当該ベース部材１５側に開放する形状に設けられている。また、掛け部材１３は、ボード本体１１の厚み方向に沿う幅が、前記ベース部材１５の幅と略同一に設けられており、これにより、掛け部材１３を使用しない状態では、図４に示されるように、当該掛け部材１３がベース部材１５及びフレーム１２の幅に略収まるようになっている。
【００１８】
図１０及び図１１（Ｂ）に示されるように、前記掛け部材１３の長手方向一端側において、前記湾曲側面４２及び側面４３，４３の領域にかけて、前記ベース部材１５の段部２０Ｂの面と相互に作用して角度規制部を構成する接触面４５，４５が形成されている。この接触面４５，４５は、側面４３，４３の領域内に段部４６，４６が形成されるように、図１１（Ｂ）中左側から右側に向かって同図中の上下方向幅を次第に大きく設けることによって形成される。
【００１９】
前記湾曲側面４２，４２及び側面４３，４３で囲まれる内側において、前記接触面４５，４５が形成されている側の板状部４１には、前記ベース部材１５に設けられた穴３１に回転可能に嵌合する筒部４７が形成されている。この筒部４７には、掛け部材１３の長手方向に沿う二箇所領域に、図１０中上端から下方に向かって各二つの割溝４８，４８が形成され、これらの割溝４８，４８間が撓み変形可能な片部材４９，４９とされ、当該片部材４９，４９の先端には爪５０，５０がそれぞれ設けられている。この爪５０，５０は、筒部４７を前記穴３１内に挿入したときに、当該穴３１の下端縁３１Ａ（図７参照）に引っ掛かり可能となり、この引っ掛かりによって嵌合後の脱落が規制される。
【００２０】
次に、本実施例に係るボード支持構造の作用について、図１２をも参照しながら説明する。
【００２１】
ホワイトボード１０を略鉛直向きに立て掛ける必要がないときには、図２（Ａ），（Ｂ）に示されるように、掛け部材１３を縦フレーム１２Ａの延出方向に沿うように位置させておけばよい。この一方、ホワイトボード１０を立て掛ける場合には、図１に示されるように、上部側に位置する掛け部材１３を回転させてボード本体１１の面に対して突出する向きに移動させる。掛け部材１３が縦フレーム１２Ａの延出方向に沿う初期の位置に対して突出したときの回転角度は、図１２に示されるように、９０度以下に保たれる。すなわち、掛け部材１３を回転させたときに、前述した接触面４５が、ベース部材１５側の段部２０Ｂの面に面接触する状態となり、これによって以後の回転が規制されることとなる。
【００２２】
従って、図１２に示されるように、ボード本体１１の裏面側が支持体としての収納キャビネット５５の鉛直面５５Ａに接するようにした場合に、掛け部材１３は、その自由端側がキャビネット５５の天板５６に食い付くような角度をもって接触することとなり、これにより、ホワイトボード１０を引っ掛けた支持状態が安定的に保たれる。この際、掛け部材１３は、適宜なクッション性を備えた樹脂材料によって形成されているため、天板５６の上面に対して面方向に相対的に滑るようなことはない。
【００２３】
従って、このような実施例によれば、次のような効果を得ることができる。すなわち、オフィス等の会議において、会議テーブル上にホワイトボード１０を載せて各方面から所要の筆記を行う利用態様と、筆記後のホワイトボード１０をキャビネット５５の天板５６に引っ掛けて掲示を行う利用態様とを任意に選択することができる。
【００２４】
また、掛け部材１３が左右一対の縦フレーム１２Ａにおける上下両側にそれぞれ配置されているため、ホワイトボード１０をテーブル上に平面的に載せて筆記を行う際に、上下を気にすることなく筆記を行うことができる。
【００２５】
なお、本発明における掛け部材１３及びベース部材１５の構造は前記実施例に限定されるものではない。例えば、図１３及び図１４に示されるように、全体としての構造をシンプルなものとすることができる。具体的には、掛け部材１３の外周に前述した形状の接触面４５を設けることに代えて、掛け部材１３の近傍となる段部２０Ｂを傾斜面に形成しても同様の作用を得ることができる。また、掛け部材１３の外周面に厚み方向に延びる凹凸面を形成し、天板５６の面に対する滑り抵抗を付与するようにしてもよい。この一方、ベース部材１５は、凹部３０の底面３０Ａにおいて、穴３１の近傍に二つの凸部６０，６０を設けるとともに、この凸部６０の上面に小突起６１を設けて掛け部材１３が凹部３０内に位置するときのぶらつきを防止する構成も採用することができる。この場合、凸部６０と掛け部材１３との位置的干渉を避けるために、掛け部材１３の下面側に凹部６３を設けておけばよい。また、図１５，１６に示されるように、凹部３０の底部右側にも突起６５を設けて掛け部材１３の下面側に接触抵抗が付与されるようになっている。
【００２６】
また、前記実施例では、ベース部材１５が縦フレーム１２Ａ及び横フレーム１２Ｂ間に装着される場合を図示、説明したが、本発明はこれに限定されるものではなく、縦フレーム１２Ａとベース部材１５とを一体成形することもできる。また、ベース部材１５は、縦フレーム１２Ａの延長線上に位置するように設けたが、横フレーム１２Ｂの左右両側に設けてもよい。
【００２７】
更に、前記実施例では、ボード本体１１の各コーナー近傍に掛け部材１３を設けて合計四個としたが、少なくとも二個あれば足りる。但し、各コーナー近傍に設けた場合には、ホワイトボード１０を平面状態として筆記する際にボード本体１１の天地を考慮する必要性がない点で有利となる。
【００２８】
また、本発明は、ホワイトボード１０の他、各種のパンフレット等を貼り付けて掲示する掲示用のボード等にも適用することができる。
【００２９】
【発明の効果】
以上説明したように、本発明によれば、ボード類の面に対して突出する位置に可動可能な掛け部材を設けてキャビネット等の支持体に支持可能に設けられる構成を採用したから、掛け部材を突出させた位置に設定した状態で、例えば、キャビネット等の天板上に掛け部材を引っ掛け可能となり、ボード類を吊り下げるような姿勢で支持することができる。
【００３０】
また、掛け部材が、方形をなすボード類のコーナー近傍に配置される構成では、掛け部材を支持体の天板に引っ掛けたときに、当該天板よりも上方にボード類が大きく突出することがなくなり、ボード類の支持状態を安定的に保つことが可能となる。
【００３１】
更に、掛け部材はアーム状に設けられるとともに、ボード類の厚み内に略収まる位置と、前記ボード類の面から突出する位置との間で回転可能に設けられているため、掛け部材を利用しないときには、当該掛け部材の存在が邪魔になることはなく、また、ストッカー等に収納する際に、掛け部材の部分だけストック幅が増加したり、出し入れに際して引っ掛かったりすることはない一方、掛け部材を使用するときの移動操作も極めて容易に行うことが可能となる。
【００３２】
また、掛け部材がボード類の外周に位置する枠フレームに支持される構成では、ボード類が強度的に弱い軽量構造体であっても、枠フレームに一定の強度を確保することにより掛け部材の支持構造を強固に構成することができる。
【００３３】
また、前記掛け部材が枠フレームに着脱自在に設けられたベース部材を介して支持される構成によれば、ベース部材が掛け部材を支持するための構造を備えていればよいため、枠フレームをシンプルな形状として形成することができる。
【００３４】
更に、前記掛け部材若しくはこれの近傍に角度規制部を設けたことにより、掛け部材を支持体の天板に引っ掛けたときに、当該掛け部材の先端が天板に食いつくような角度設定が可能となり、ボード類が落下する虞も防止することができる。
【図面の簡単な説明】
【図１】本発明が適用されたホワイトボードを支持体に引っ掛けて支持された状態を示す概略斜視図。
【図２】（Ａ）はホワイトボードの正面図、（Ｂ）は、その右側面図。
【図３】掛け部材を使用するときの姿勢を示す要部拡大斜視図。
【図４】掛け部材を使用しないときの姿勢を示す要部拡大斜視図。
【図５】図３の分解斜視図。
【図６】掛け部材とベース部材との分解斜視図。
【図７】ベース部材の正面図。
【図８】ベース部材の平面図。
【図９】（Ａ）は図７のＡ―Ａ線拡大断面図、（Ｂ）は、同図Ｂ−Ｂ線拡大断面図、（Ｃ）は同図Ｃ−Ｃ線拡大断面図、（Ｄ）は同図Ｄ−Ｄ線拡大断面図。
【図１０】掛け部材を裏面側から見た拡大斜視図。
【図１１】（Ａ）は掛け部材の正面図、（Ｂ）は掛け部材の平面図、（Ｃ）は図１１（Ａ）の右側面図。
【図１２】掛け部材が支持体に引っ掛けられて支持されている状態を示す要部側面図。
【図１３】前記実施例の変形例を示す図１２と同様の要部側面図。
【図１４】前記変形例に係る掛け部材の正面図。
【図１５】前記変形例に係るベース部材の正面図。
【図１６】前記変形例に係るベース部材の平面図。
【符号の説明】
１０  ホワイトボード
１２  枠フレーム
１３  掛け部材
１５  ベース部材
２０Ｂ  段部（角度規制部）
４５  接触面（角度規制部）
５５  収納キャビネット（支持体）
５６  天板
【図１】
0004678111.tif 000002
【図２】
0004678111.tif 000003
【図３】
0004678111.tif 000004
【図４】
0004678111.tif 000005
【図５】
0004678111.tif 000006
【図６】
0004678111.tif 000007
【図７】
0004678111.tif 000008
【図８】
0004678111.tif 000009
【図９】
0004678111.tif 000010
【図１０】
0004678111.tif 000011
【図１１】
0004678111.tif 000012
【図１２】
0004678111.tif 000013
【図１３】
0004678111.tif 000014
【図１４】
0004678111.tif 000015
【図１５】
0004678111.tif 000016
【図１６】
0004678111.tif 000017